(57)【要約】【課題】  無線伝送区間を備えていても、少なくとも玄関子機からの呼び出しが確実に掛かるインターホン装置を提供する。【解決手段】  親機２と増設親機３とを無線で接続し、親機２に４２９ＭＨｚ送受信回路２９、４２０ＭＨｚ送信回路３０、４４０ＭＨｚ受信回路３１、２．４ＧＨｚ送信回路３２を設けると共に、増設親機３にそれに対応した４２９ＭＨｚ送受信回路４５、４２０ＭＨｚ受信回路４６、４４０ＭＨｚ送信回路４７、２．４ＧＨｚ受信回路４８を設けた。玄関子機１からの呼出信号は４２９ＭＨｚで増設親機３に送信し、増設親機３からの送話音声信号は４４０ＭＨｚで親機２を介して玄関子機１に送信した。更に玄関子機１からの受話音声信号は親機２から４２０ＭＨｚで増設親機３に送信し、映像信号は２．４ＧＨｚで親機２から増設親機３に送信した。【選択図】  図２
2005079705.tif 000002
【特許請求の範囲】
【請求項１】
玄関に設置される玄関子機、室内に設置される親機及び増設親機を備え、前記玄関子機、前記親機、前記増設親機間で、呼出信号を含む制御信号、音声信号、映像信号の送受信がなされ、前記親機と前記増設親機との間が無線式のインターホン装置において、
前記親機には、２．４ＧＨｚ以上の高域周波数の任意の一周波数を中心周波数として前記映像信号を送信する高域親機送信回路と、２００ＭＨｚ〜１ＧＨｚの低域周波数の任意の周波数の電波を用いて前記制御信号、音声信号のうち少なくとも制御信号を送信する低域親機送信回路と、前記増設親機から前記玄関子機又は親機へ送信される前記低域周波数の電波を受信する低域親機受信回路とを備え、
前記増設親機には、前記高域親機送信回路からの電波を受信する高域増親受信回路と、前記低域親機送信回路からの電波を受信する低域増親受信回路と、前記低域親機受信回路への電波を送信する低域増親送信回路とを備えたことを特徴とするインターホン装置。
【請求項２】
玄関に設置される玄関子機、室内に設置される親機を備え、前記玄関子機と前記親機間で、呼出信号を含む制御信号、音声信号、映像信号の送受信がなされ、前記玄関子機と前記親機との間が無線式のインターホン装置において、
前記玄関子機には、２．４ＧＨｚ以上の高域周波数の任意の一周波数を中心周波数として前記映像信号を送信する高域子機送信回路と、２００ＭＨｚ〜１ＧＨｚの低域周波数帯の任意の周波数の電波を用いて前記制御信号、音声信号のうち少なくとも制御信号を送信する低域子機送信回路と、前記親機から前記玄関子機へ送信される前記低域周波数の電波を受信する低域子機受信回路とを備え、
前記親機には、前記高域子機送信回路からの電波を受信する高域親機受信回路と、前記低域子機送信回路からの電波を受信する低域親機受信回路と、前記低域子機受信回路へ電波を送信する低域親機送信回路とを備えたことを特徴とするインターホン装置。
【請求項３】
前記制御信号は、玄関子機に送信される下り制御信号と玄関子機から送信される上り制御信号とから成り、双方の制御信号の電波は前記音声信号の電波とは異なる単一の周波数を使用し、前記上り及び下り制御信号を時間的に交互に伝送することを特徴とする請求項１又は２に記載のインターホン装置。
【請求項４】
前記音声信号及び制御信号は、単一周波数で時分割多重伝送することを特徴とする請求項１又は２に記載のインターホン装置。
【請求項５】
玄関に設置される玄関子機、室内に設置される親機及び増設親機を備え、前記玄関子機、前記親機、前記増設親機間で、呼出信号を含む制御信号、音声信号、映像信号の送受信がなされ、前記親機と前記増設親機との間が無線式のインターホン装置において、
前記親機には、２．４ＧＨｚ以上の高域周波数の任意の一周波数を中心周波数として前記映像信号を送信する高域親機送信回路と、携帯電話装置の電波を用いて前記制御信号、音声信号のうち少なくとも制御信号を送信する低域親機送信回路と、前記増設親機から前記玄関子機又は親機へ送信される前記低域周波数の電波を受信する低域親機受信回路とを備え、
前記増設親機には、前記高域親機送信回路からの電波を受信する高域増親受信回路と、前記低域親機送信回路からの電波を受信する低域増親受信回路と、前記低域親機受信回路への電波を送信する低域増親送信回路とを備えたことを特徴とするインターホン装置。
【請求項６】
玄関に設置される玄関子機、室内に設置される親機を備え、前記玄関子機と前記親機間で、呼出信号を含む制御信号、音声信号、映像信号の送受信がなされ、前記玄関子機と前記親機との間が無線式のインターホン装置において、
前記玄関子機には、２．４ＧＨｚ以上の高域周波数の任意の一周波数を中心周波数として前記映像信号を送信する高域子機送信回路と、携帯電話装置の電波を用いて前記制御信号、音声信号のうち少なくとも制御信号を送信する低域子機送信回路と、前記親機から前記玄関子機へ送信される前記低域周波数の電波を受信する低域子機受信回路とを備え、
前記親機には、前記高域子機送信回路からの電波を受信する高域親機受信回路と、前記低域子機送信回路からの電波を受信する低域親機受信回路と、前記低域子機受信回路へ電波を送信する低域親機送信回路とを備えたことを特徴とするインターホン装置。
【発明の詳細な説明】
【技術分野】
【０００１】
本発明は、玄関子機と少なくとも１台の親機から構成されるインターホン装置に関し、特に、カメラを備え、少なくとも何れかの機器の間の信号の伝送を無線伝送としたインターホン装置に関する。
【背景技術】
【０００２】
従来の無線を利用したテレビカメラ付インターホン装置としては、例えば特許文献１に示す構成のものがある。この技術は伝送周波数が具体的に示されていないが、伝送信号に情報量の多い映像信号を含む場合、その伝送を可能とするために、例えば２．４ＧＨｚ帯のＩＳＭバンドのような高域周波数の電波が使用され、この周波数帯に映像信号以外に、音声信号、制御信号を加えて多重伝送していた。
【特許文献１】特開２０００−２２４３１５号公報
【発明の開示】
【発明が解決しようとする課題】
【０００３】
ところが、上記周波数帯は、映像信号のような大きな情報量の伝送には好適であるが、宅内で利用する場合、壁及び人体等による減衰や反射が大きく、玄関子機からの呼出信号が良好に受信できず、呼び出しが掛からなかったり、通話音声や映像が途切れたりすることがあった。このような場合、映像が途切れる程度であれば、とりあえず来訪者に迷惑をかけることが無いよう対応できるが、呼び出しが掛からない場合も発生し、そのような場合は来訪者は不在と判断してしまうので問題があった。
そこで、本発明はこのような問題点に鑑み、無線伝送区間を備えていても少なくとも玄関子機からの呼び出しが確実に掛かるインターホン装置を提供することを目的とする。
【課題を解決するための手段】
【０００４】
請求項１の発明は、玄関に設置される玄関子機、室内に設置される親機及び増設親機を備え、玄関子機、親機、増設親機間で、呼出信号を含む制御信号、音声信号、映像信号の送受信がなされ、親機と増設親機との間が無線式のインターホン装置において、親機には、２．４ＧＨｚ以上の高域周波数の任意の一周波数を中心周波数として映像信号を送信する高域親機送信回路と、２００ＭＨｚ〜１ＧＨｚの低域周波数の任意の周波数の電波を用いて制御信号、音声信号のうち少なくとも制御信号を送信する低域親機送信回路と、増設親機から玄関子機又は親機へ送信される低域周波数の電波を受信する低域親機受信回路とを備え、増設親機には、高域親機送信回路からの電波を受信する高域増親受信回路と、低域親機送信回路からの電波を受信する低域増親受信回路と、低域親機受信回路への電波を送信する低域増親送信回路とを備えたことを特徴とする。
この構成により、制御信号は１ＧＨｚ以下の低域周波数で親機から増設親機に無線伝送されるので、玄関子機からの呼出信号は大きく減衰することなく増設親機に送信できる。そのため、増設親機でも来訪者を確実に認識できる。また、音声信号も１ＧＨｚ以下とすれば、玄関子機と増設親機との間の通話が途切れるようなこともない。
【０００５】
請求項２の発明は、玄関に設置される玄関子機、室内に設置される親機を備え、玄関子機と親機間で、呼出信号を含む制御信号、音声信号、映像信号の送受信がなされ、玄関子機と親機との間が無線式のインターホン装置において、玄関子機には、２．４ＧＨｚ以上の高域周波数の任意の一周波数を中心周波数として映像信号を送信する高域子機送信回路と、２００ＭＨｚ〜１ＧＨｚの低域周波数帯の任意の周波数の電波を用いて制御信号、音声信号のうち少なくとも制御信号を送信する低域子機送信回路と、親機から玄関子機へ送信される低域周波数の電波を受信する低域子機受信回路とを備え、親機には、高域子機送信回路からの電波を受信する高域親機受信回路と、低域子機送信回路からの電波を受信する低域親機受信回路と、低域子機受信回路へ電波を送信する低域親機送信回路とを備えたことを特徴とする。
この構成によれば、制御信号は１ＧＨｚ以下の低域周波数で玄関子機から親機に伝送されるので、玄関子機からの呼出信号は大きく減衰することなく親機に送信でき、親機にて来訪者を確実に認識できる。また、音声信号も１ＧＨｚ以下とすれば、玄関子機と親機との間の通話が途切れるようなこともない。
【０００６】
請求項３の発明は、請求項１又は２の発明において、制御信号は、玄関子機に送信される下り制御信号と玄関子機から送信される上り制御信号とから成り、双方の制御信号の電波は音声信号の電波とは異なる単一の周波数を使用し、上り及び下り制御信号を時間的に交互に伝送することを特徴とする。
この構成によれば、通話中であっても制御信号の伝送が可能であり、例えば、カメラのパン操作等を通話中に実施できる。
【０００７】
請求項４の発明は、請求項１又は２の発明において、音声信号及び制御信号は、単一周波数で時分割多重伝送することを特徴とする。
この構成によれば、音声信号と制御信号の送受信回路を共通にでき、送受信回路を削減できる。
【０００８】
請求項５及び請求項６の発明は、請求項１及び２の発明に代えて、低域周波数として携帯電話装置を利用することにより、周波数を１ＧＨｚ超、例えば１．９ＧＨｚのＰＨＳシステムを利用した場合でも、インターホン装置側で考慮する必要なく信号が安定するため、無線を介しても通話が途切れることがない。
【発明の効果】
【０００９】
このように、本発明によれば、少なくとも制御信号を室内においても減衰し難い１ＧＨｚ以下の周波数で無線伝送するので、玄関子機の呼出操作に対して、親機、或いは増設親機は確実に応答することができる。即ち、確実に呼び出しが掛かる。
また、音声信号の伝送も制御信号と同様に１ＧＨｚ以下にすれば、無線を介しても通話が途切れることがない。
【発明を実施するための最良の形態】
【００１０】
（第１実施形態）
以下、本発明を具体化した実施の形態を、図面に基づいて詳細に説明する。図１、図２は本発明に係るインターホン装置の第１の実施形態を示し、図１は概略構成図、図２は回路ブロック図を示している。図において、１は玄関に設置される玄関子機、２は住居内に設置される親機、３は親機と略同一の機能を有する増設親機を示している。そして、玄関子機１と親機２とは信号線４で接続され、親機２と増設親機３とは無線接続されている。尚、図１において、ｆ０は制御信号、ｆ１は音声送話信号、ｆ２は音声受話信号、ｆ３は映像信号の各周波数を示し、後述するように、ここではｆ０＝４２９ＭＨｚ、ｆ１＝４２０ＭＨｚ、ｆ２＝４４０ＭＨｚ、ｆ３＝２．４ＧＨｚとしている。
【００１１】
玄関子機１は、呼出ボタン１１、マイク１２、スピーカ１３、カメラ１４を備え、内部に各回路を制御する子機ＣＰＵ１５、マイク信号を増幅する子機マイクアンプ１６、スピーカへの信号を増幅する子機スピーカアンプ１７、カメラ１４からの映像信号を変調して伝送する映像送信回路１８、各信号を信号線４に送出するための子機混合回路１９を備え、子機混合回路には信号線４が接続されている。
【００１２】
親機２は、ハンドセット２１ａ、スピーカ２２ａ、テレビモニタ２３ａ、アンテナ３５を備え、内部に信号線４が接続されて玄関子機１へ伝送する信号を混合する親機混合回路２４、親機２を制御する親機ＣＰＵ２５、玄関子機１からの音声信号を受信する音声受話回路２６、音声信号を玄関子機へ送信する音声送話回路２７、映像信号を受信する映像受信回路２８、４２９ＭＨｚで制御信号を送受する低域親機送信回路及び低域親機受信回路の一つとしての４２９ＭＨｚ送受信回路２９、４２０ＭＨｚで音声信号を変調して送信する低域親機送信回路の一つとしての４２０ＭＨｚ送信回路３０、４４０ＭＨｚの音声信号を受信して復調する低域親機受信回路の一つとしての４４０ＭＨｚ受信回路３１、アンテナ３３が接続されて２．４ＧＨｚで映像信号を送信する高域親機送信回路としての２．４ＧＨｚ送信回路３２、アンテナ３５が接続されて送信信号を混合、或いは受信信号を分配する親機分配器３４、更にレシーバアンプ３７ａ、マイクアンプ３８ａ、スピーカアンプ３９ａ、映像信号を復調してテレビモニタ２３ａに出画させるための映像回路４０ａを備えている。
【００１３】
増設親機３は、親機２と同様にハンドセット２１ｂ、スピーカ２２ｂ、テレビモニタ２３ｂ、アンテナ４３を備え、内部にアンテナ４３が接続されて受信信号を分配或いは送信信号を混合する増親分配器４２、増設親機３を制御する増親ＣＰＵ４４、４２９ＭＨｚで制御信号を送受する低域増親受信回路及び低域増親送信回路の一つとしての４２９ＭＨｚ送受信回路４５、４２０ＭＨｚの音声信号を受信して復調する低域増親受信回路の一つとしての４２０ＭＨｚ受信回路４６、４４０ＭＨｚで音声信号を変調して送信する低域増親送信回路の一つとしての４４０ＭＨｚ送信回路４７、アンテナ４９が接続されて映像信号を受信する高域増親受信回路としての２．４ＧＨｚ受信回路４８、レシーバアンプ３７ｂ、マイクアンプ３８ｂ、受信した映像信号を復調して出画させるための映像回路４０ｂを備えている。
【００１４】
このインターホン装置の動作を次に説明する。来訪者により玄関子機１の呼出ボタン１１が押下されたら、子機ＣＰＵ１５は呼び出しを検知して上り制御信号である呼出信号を親機２に対して出力すると同時にカメラ１４をオンさせ、その映像信号を親機２に出力させる。親機２に伝送された呼出信号を受けて、親機ＣＰＵ２５はスピーカ２２ａから呼出音を報ずるよう操作すると共に、送られてきた映像信号をテレビモニタ２３ａから出画させる。また、４２９ＭＨｚ送受信回路２９を介して増設親機３に対して呼出信号を無線送信すると共に、映像信号を２．４ＧＨｚで無線送信する。
増設親機３は、その呼出信号を４２９ＭＨｚ送受信回路４５で受信し、増親ＣＰＵ４４はスピーカ２２ｂから呼出音を報ずる操作をする。同時に、２．４ＧＨｚ受信回路４８で映像信号を受信し、テレビモニタ２３ｂに出画させる。
【００１５】
この呼出音を受けて、増設親機３から応答する場合は、増設親機３のハンドセット２１ｂを取り上げれば良く、そうすることでレシーバアンプ３７ｂ、マイクアンプ３８ｂがオンすると共に、増親ＣＰＵ４４は玄関子機１に向けて下り制御信号である回線接続信号を出力し、玄関子機１と増設親機３との通話回路が接続される。回線接続信号は、４２９ＭＨｚ送受信回路４５を介して玄関子機１に伝送され、この信号を受けて玄関子機１のマイク１２、及びスピーカ１３はオン状態となる。尚、４２９ＭＨｚの同一周波数で伝送される上り制御信号と下り制御信号は時分割されて交互に伝送される。
こうして、居住者の送話音声はハンドセット２１ｂのマイク、及び４４０ＭＨｚ送信回路４７を介して親機２に無線伝送される。親機２の４４０ＭＨｚ受信回路３１はその信号を受信し、更に親機２から玄関子機１に信号線４を介して伝送される。
この送話音声を受けて、来訪者の受話音声は玄関子機１から親機２の音声受話回路２６、４２０ＭＨｚ送信回路３０を介して増設親機３に無線伝送される。増設親機３の４２０ＭＨｚ受信回路４６はその信号を受信し、レシーバアンプ３７ｂを介してハンドセット２１ｂのレシーバに出力され、通話が成される。
尚、この回線接続状態は、ハンドセット２１ｂが所定位置に戻されることで、下り制御信号として回線切断信号が増設親機３から玄関子機１に伝送され、通話路が切断される。
【００１６】
一方、玄関子機１からの呼出音に対して親機２から応答する場合は、増設親機３のハンドセット２１ｂを取り上げずに親機２のハンドセット２１ａを取り上げれば良い。そうすることでレシーバアンプ３７ａ、マイクアンプ３８ａがオンすると共に、親機ＣＰＵ２５は玄関子機１に向けて下り制御信号である回線接続信号を出力し、玄関子機１と親機２との通話回路が接続され、通話が可能となる。
【００１７】
図３は、上記構成における各無線信号周波数を図示した周波数スペクトラムであり、図示するように、４２０ＭＨｚ〜４４０ＭＨｚの低域周波数で音声信号及び制御信号を送信し、２．４ＧＨｚを中心とする高域周波数で映像信号を送信している。
このように、映像信号以外の制御信号、音声信号を低域周波数で無線伝送するので、玄関子機からの呼出信号は大きく減衰することなく増設親機に送信でき、親機だけでなく増設親機にても来訪者を確実に認識できる。また、音声信号も大きく減衰することがなくなり良好に通話できる。また、制御信号と音声信号を異なる周波数として独立送信することで、通話中にも制御信号を伝送でき、例えば通話中にテレビカメラのパン或いはチルト操作ができ、訪問者を確実に撮影することも容易となる。
【００１８】
尚、低域周波数としては、５００ＭＨｚ以下であれば、殆ど減衰することが無く室内であっても良好に送信できるが、５００ＭＨｚを超えても１ＧＨｚ以下であればＩＳＭバンドに比べて減衰量を抑えることができ、好ましい。また、２００ＭＨ以下では周辺の他の無線機器に影響を及ぼす恐れがあるので２００ＭＨｚ以上とするのが好ましい。
また、音声信号と制御信号を分離して送信しているが、受話音声信号に下り制御信号を重畳し、送話音声信号に上り制御信号を重畳しても良い。また、周波数も上記周波数でなくとも良く、例えば下り周波数を２５０ＭＨｚ帯、４１０ＭＨｚ帯、上り周波数を３８０ＭＨｚ帯、４５０ＭＨｚ帯としても良いし、上りと下りの電波の周波数を逆にしても良い。更に、映像信号は例えば５ＧＨｚ帯の周波数で送信しても良い。
【００１９】
（第２実施形態）
図４、図５は本発明に係るインターホン装置の第２の実施形態を示し、図４は構成図、図５は回路ブロック図を示している。ここでは、玄関子機１と親機２との間の信号の伝送を無線で実施し、制御信号ｆ０、音声送話信号ｆ１、音声受話信号ｆ２、映像信号ｆ３の各周波数は上記第１の実施形態と同一の周波数としている。尚、上記図２と同一の構成要素には同一の符号を付与し、説明を省略する。
図５に示すように、玄関子機１には、４２９ＭＨｚで制御信号を送受する低域子機送信回路及び低域子機受信回路の一つとしての４２９ＭＨｚ送受信回路５１、４２０ＭＨｚで音声信号を変調して送信する低域子機送信回路の一つとしての４２０ＭＨｚ送信回路５２、４４０ＭＨｚの音声信号を受信して復調する低域子機受信回路の一つとしての４４０ＭＨｚ受信回路５３が設けられ、これらは子機分配器５４を介してアンテナ５５に接続されている。また、２．４ＧＨｚで映像信号を送信する高域子機送信回路としての２．４ＧＨｚ送信回路５６が設けられ、アンテナ５７が接続されている。
【００２０】
そして、親機２にはアンテナ５９が接続された親機分配器６０、親機２を制御する親機ＣＰＵ６１、４２９ＭＨｚで制御信号を送受する低域親機受信回路及び低域親機送信回路の一つとしての４２９ＭＨｚ送受信回路６２、４２０ＭＨｚの音声信号を受信して復調する低域親機受信回路の一つとしての４２０ＭＨｚ受信回路６３、４４０ＭＨｚで音声信号を送信する低域親機送信回路の一つとしての４４０ＭＨｚ送信回路６４、アンテナ６６を備えて映像信号を受信する高域親機受信回路としての２．４ＧＨｚ受信回路６５が設けられている。このように、この親機２は図２に示す増設親機と同一の構成を備えている。
【００２１】
このインターホン装置は次のように動作する。来訪者により呼出ボタン１１が操作されたら、子機ＣＰＵ１５がそれを検知して制御信号である呼出信号を出力する。この呼出信号は４２９ＭＨｚで親機２に無線送信される。同時に、子機ＣＰＵ１５はカメラ１４をオンし、映像信号を２．４ＧＨｚで親機２に無線送信する。
親機２が呼出信号を受信したら、親機ＣＰＵ６１は、スピーカ２２ａから呼出音を出力させ、テレビモニタ２３ａから、送信されてきた映像信号を出画操作する。そして、呼出音を受けて居住者がハンドセット２１ａを取り上げたら、レシーバアンプ３７ａ、マイクアンプ３８ａがオンすると共に、玄関子機１に向けて下り制御信号として回線接続信号を出力し、玄関子機１と親機２との通話回路が接続される。回線接続信号は、４２９ＭＨｚ送受信回路６２を介して玄関子機１に伝送され、この信号を受けて玄関子機１のマイク１２、及びスピーカ１３はオン状態となる。
こうして、居住者の送話音声はハンドセット２１ａから４４０ＭＨｚ送信回路６４を介して玄関子機１に無線伝送され、来訪者の受話音声は玄関子機１から親機２の４２０ＭＨｚ受信回路６３で受信され、レシーバアンプ３７ａを介してハンドセット２１ａに出力され、通話が実施される。
【００２２】
このように、玄関子機と親機との間を無線としても良く、制御信号及び通話信号の伝送を２００ＭＨｚ〜１ＧＨｚとすることで、信号が大きく減衰することが無く、確実に呼び出しが掛かると共に、良好な通話ができる。
【００２３】
（第３実施形態）
図６は本発明の第３の実施形態を示している。この実施形態のインターホン装置は、図１と同様に玄関子機１と親機２と増設親機３とから構成され、玄関子機１は図２の回路構成と同様であるため、図６では玄関子機１を省略して親機２と増設親機３の回路ブロック図のみ示している。但し、無線送信する周波数は、制御信号周波数ｆ０と音声送話信号周波数ｆ１と音声受話信号周波数ｆ２とは同一で４２９ＭＨｚであり、映像信号周波数ｆ３が２．４ＧＨｚであり、図７に示す周波数スペクトラムで送信している。尚、図２と同一の回路ブロックには同一の符号を付与して説明を省略する。
【００２４】
図６に示すように、親機２には、Ａ／Ｄ変換回路７１、Ｄ／Ａ変換回路７２、デジタル化された制御信号及び音声信号を時分割多重伝送する為に信号配列を組み立てる親機第１配列回路７３、信号配列を戻す親機第２配列回路７４、低域親機送信回路としての４２９ＭＨｚ送信回路７５、低域親機受信回路としての４２９ＭＨｚ受信回路７６が設けられている。
また、増設親機３には、低域増親受信回路としての４２９ＭＨｚ受信回路８１、低域増親送信回路としての４２９ＭＨｚ送信回路８２、受信した制御信号及び音声信号の信号配列を戻す増親第１配列回路８３、デジタル化された制御信号及び音声信号を時分割多重伝送する為に信号配列を組み立てる増親第２配列回路８４、Ｄ／Ａ変換回路８５、Ａ／Ｄ変換回路８６が設けられている。
【００２５】
このインターホン装置は次のように動作する。玄関子機１から呼び出しが成され、親機２に呼出信号及び映像信号が伝送されると、呼出信号を検知した親機ＣＰＵ２５は、スピーカ２２ａから呼出音を出力させる。そして、伝送された映像信号をテレビモニタ２３ａから出画させる。更に、多重伝送可能とする為に呼出信号の時間的な配列を組み立て、４２９ＭＨｚで増設親機３に向けて呼出信号を無線送信する。同時に映像信号を２．４ＧＨｚで無線送信する。
増設親機３は、親機２から送信された信号を受信したら、増親ＣＰＵ４４は信号配列を戻し、スピーカ２２ｂから呼出音を出力させる。同時に、受信した映像信号をテレビモニタ２３ｂから出画させる。
【００２６】
この呼出音を受けて、増設親機３のハンドセット２１ｂを取り上げれば、増親ＣＰＵ４４は玄関子機１に向けて下り制御信号である回線接続信号を出力し、玄関子機１と増設親機３との通話回路が接続され、通話可能となる。詳しくは、増親ＣＰＵ４４から出力された回線接続信号は、多重伝送可能とする為に時間的な配列が組み立てられて、４２９ＭＨｚで親機２に向けて送信される。親機２は、この信号を受信したら信号配列を戻し、玄関子機１に信号線４を介して再送信する。
そして、玄関子機１は、この信号を受けてマイク及びスピーカがオンし、居住者の送話音声は、同様にＡ／Ｄ変換されると共に時間的な配列が組み立てられた後、制御信号と同一の４２９ＭＨｚで親機２に送信され、親機２にて配列が戻された後、Ｄ／Ａ変換されて玄関子機１に伝送される。こうして、玄関子機１のスピーカから送話音声が出力される。
【００２７】
一方、玄関子機１からの受話音声は、親機２にてＡ／Ｄ変換された後、配列が組み立てられ、制御信号と同一の４２９ＭＨｚで増設親機３に向けて無線送信される。
増設親機３では、受信した受話音声信号の配列を戻すと共にＤ／Ａ変換してハンドセット２１ｂのレシーバから出力されて通話が成される。この通話可能状態は、ハンドセット２１ｂが所定位置に戻されることで、制御信号である通話路切断信号が増設親機３から玄関子機１に伝送され、通話路が切断される。尚、玄関子機１からの呼び出しに対して親機２にて応答する場合は、増設親機３のハンドセット２１ｂを取らずに親機２のハンドセット２１ａを取り上げれば良い。
図７は、この構成における各無線信号周波数を図示した周波数スペクトラムであり、図示するように、４２９ＭＨｚの同一の低域周波数で制御信号及び音声信号を送信し、２．４ＧＨｚを中心とする高域周波数で映像信号を送信している。
【００２８】
このように、制御信号と音声信号を１ＧＨｚ以下の同一の周波数とすることで、上記実施形態と同様に制御信号及び音声信号が大きく減衰することが無くなり、良好な呼出及び通話が可能となる。そして、制御信号と音声信号を同一周波数で時分割多重伝送することで、音声信号と制御信号の送受信回路を共通にでき、上記第１実施形態に比べて送受信回路を削減できる。送受信回路は、他の回路に比べて広いスペースを必要とするので、削減できることは装置の小型化を図る際に有効である。
【００２９】
尚、上記実施の形態は何れも、無線通信方法、及びプロトコルは定義しておらず、どのような通信方式でも一般的に適用できるものであるが、これに代えて、低域周波数として携帯電話装置を利用することができる。この場合、通信事業者によって通信の安定性が保証されているため、低域周波数を２ＧＨｚ近くまで上昇させた場合でも確実に呼び出しがかかると共に、良好な通話ができる。
また、制御信号と音声信号の双方を映像信号と分離して低域周波数で伝送しているが、少なくとも制御信号を１ＧＨ以下の周波数で伝送すれば、少なくとも増設親機にも呼び出しが掛かるので、居住者は来訪者の呼出操作に確実に応答でき、来訪者が不在と間違えることが無くなり、有効である。
【図面の簡単な説明】
【００３０】
【図１】本発明に係るインターホン装置の第１の実施形態の構成図である。
【図２】図１の回路ブロック図である。
【図３】図２の無線信号の周波数スペクトラムである。
【図４】本発明に係るインターホン装置の第２の実施形態の構成図である。
【図５】図４の回路ブロック図である。
【図６】本発明の第３の実施形態の回路ブロック図である。
【図７】図６の無線信号の周波数スペクトラムである。
【符号の説明】
【００３１】
１・・玄関子機、２・・親機、３・・増設親機、４・・信号線、２９・・４２９ＭＨｚ送受信回路（低域親機送信回路及び低域親機受信回路）、３０・・４２０ＭＨｚ送信回路（低域親機送信回路）、３１・・４４０ＭＨｚ受信回路（低域親機受信回路）、３２・・２．４ＧＨｚ送信回路（高域親機送信回路）、３３，３５・・アンテナ、４５・・４２９ＭＨｚ送受信回路（低域増親送信回路及び低域増親受信回路）、４６・・４２０ＭＨｚ受信回路（低域増親受信回路）、４７・・４４０ＭＨｚ送信回路（低域増親送信回路）、４８・・２．４ＧＨｚ受信回路（高域増親受信回路）、４３，４９・・アンテナ、５１・・４２９ＭＨｚ送受信回路（低域子機送信回路及び低域子機受信回路）、５２・・４２０ＭＨｚ送信回路（低域子機送信回路）、５３・・４４０ＭＨｚ受信回路（低域子機受信回路）、５５・・アンテナ、５６・・２．４ＧＨｚ送信回路（高域子機送信回路）、６２・・４２９ＭＨｚ送受信回路（低域親機送信回路及び低域親機受信回路）、６３・・４２０ＭＨｚ受信回路（低域親機受信回路）、６４・・４４０ＭＨｚ送信回路（低域親機送信回路）、６５・・２．４ＧＨｚ受信回路（高域親機受信回路）、６６・・アンテナ、７３・・親機第１配列回路、７４・・親機第２配列回路、７５・・４２９ＭＨｚ送信回路（低域親機送信回路）、７６・・４２９ＭＨｚ受信回路（低域親機受信回路）、８１・・４２９ＭＨｚ受信回路（低域増親受信回路）、８２・・４２９ＭＨｚ送信回路（低域増親送信回路）、８３・・増親第１配列回路、８４・・増親第２配列回路。
【図１】
2005079705.tif 000003
【図２】
2005079705.tif 000004
【図３】
2005079705.tif 000005
【図４】
2005079705.tif 000006
【図５】
2005079705.tif 000007
【図６】
2005079705.tif 000008
【図７】
2005079705.tif 000009